(57)【要約】【課題】電子機器用ケースの組み立て効率を向上すること。【解決手段】Ｎ個（Ｎは２以上の自然数）の押しボタン２０２を有する電子機器２００を内部に収容する筺体１１０と、Ｎ個の押しボタン１１０に対応する位置で筺体１１０に形成されたＮ個の孔１２０と、Ｎ個の孔１２０を介してユーザが筺体１１０の外方からＮ個の押しボタン２０２を操作するための操作部１３０と、を備える電子機器用ケース１００であって、操作部１３０が、Ｎ個の孔１２０のそれぞれに挿入される軸部１３１ａを有するＮ個の操作ボタン１３１と、Ｎ個の軸部１３１ａのそれぞれに嵌め込まれるＮ個のリング部１３２ａが一体的に形成され、かつ、リング部１３２ａが軸部１３１ａと筺体１１０との間で挟み込まれることにより、Ｎ個の孔１２０を密閉する密閉部材１３２と、を有する。【選択図】図６
2011238491.tif 000002
【特許請求の範囲】
【請求項１】
Ｎ個（Ｎは２以上の自然数）の押しボタンを有する電子機器を内部に収容する筺体と、
前記Ｎ個の押しボタンに対応する位置で前記筺体に形成されたＮ個の孔と、
前記Ｎ個の孔を介してユーザが前記筺体の外方から前記Ｎ個の押しボタンを操作するための操作部と、
を備える電子機器用ケースであって、
前記操作部が、
前記Ｎ個の孔のそれぞれに挿入される軸部を有するＮ個の操作ボタンと、
前記Ｎ個の軸部のそれぞれに嵌め込まれるＮ個のリング部が一体的に形成され、かつ、前記リング部が前記軸部と前記筺体との間で挟み込まれることにより、前記Ｎ個の孔を密閉する密閉部材と、
を有することを特徴とする電子機器用ケース。
【請求項２】
前記Ｎ個の孔のケース外方側の開口に形成され、前記Ｎ個のリング部を収容するための収容部を更に備え、
前記Ｎ個のリング部が、１つのシートに一体的に形成されており、かつ、該シートからケース内方に向けて突出し、前記収容部内で前記軸部と前記筺体との間で径方向に挟み込まれることを特徴とする請求項１に記載の電子機器用ケース。
【請求項３】
前記Ｎ個の操作ボタンは、前記Ｎ個の軸部のケース外方側にそれぞれ設けられ、前記軸部よりも大きい断面積のボタン部を更に有し、
前記ボタン部の内方側端部には、前記ボタン部よりも径方向外方に突出した庇部が形成されており、
前記操作部は、
前記ボタン部の内方側端面と前記筺体との間にそれぞれ配設され、前記操作ボタンにケース外方への付勢力を負荷するＮ個の弾性部材と、
前記筺体に固定され、前記Ｎ個の操作ボタン及び前記Ｎ個の弾性部材を内部に収容するカバー部材と、を更に備え、
前記カバー部材は、前記庇部が通過不可能なサイズである操作孔を有し、かつ、前記Ｎ個の操作ボタンが操作されていない状態で前記操作孔から前記ボタン部の一部を前記カバー部材の外面から突出させることを特徴とする請求項２に記載の電子機器用ケース。
【請求項４】
前記操作孔がケース内方側の開口に近接するにつれて広がるように傾斜した第１の斜面部を有し、前記庇部が前記操作孔の第１の斜面部に対応して傾斜した第２の斜面部を有し、
前記操作ボタンが操作されていない状態で前記第２の斜面部が前記第１の斜面部に当接することにより、前記カバー部材の外方への飛び出しが規制されることを特徴とする請求項３に記載の電子機器用ケース。
【請求項５】
前記操作部は、前記Ｎ個の弾性部材と前記密閉部材との間に設けられ、前記Ｎ個の弾性部材からケース内方への付勢力を受けると共に、前記密閉部材をケース外方から押さえる押さえ部材を更に備えることを特徴とする請求項４に記載の電子機器用ケース。
【請求項６】
前記筺体は、その外面から突出する突出部を有し、
前記密閉部材及び前記押さえ部材は、ケース外方から前記突出部に嵌め込んで位置決めを行うための複数の位置決め孔を有することを特徴とする請求項５に記載の電子機器用ケース。
【請求項７】
前記Ｎ個の弾性部材が、コイルスプリングであり、
前記押さえ部材は、その外面から突出し、前記コイルスプリングの位置決めを行うためのＮ個の突出部を有することを特徴とする請求項６に記載の電子機器用ケース。
【発明の詳細な説明】
【技術分野】
【０００１】
本発明は、電子機器を密閉状態で内部に収容する電子機器用ケースに関する。
【背景技術】
【０００２】
デジタルカメラ等の電子機器を内部に収容する電子機器用ケースには、電子機器に設けられた押しボタンをケース外方から押下するための操作ボタンが設けられているものがある。この場合、ケースには、操作ボタンの軸部が挿入される孔が形成されているため、操作ボタンの軸部にＯリングを嵌め込むことにより孔からの浸水を防止する技術がある。また、操作ボタンが押下された後に初期位置に復帰させ、また、押し込んだ位置だけでなく初期位置でもゴム部材を圧縮した状態となるように、操作ボタンと筺体との間にゴム部材を挟み込んだ状態でケース内方側に突出した軸部にＥリングを装着する技術がある（特許文献１参照）。
【先行技術文献】
【特許文献】
【０００３】
【特許文献１】特開２００６−１９１１２号公報
【発明の概要】
【発明が解決しようとする課題】
【０００４】
ここで、電子機器に押しボタンが多数設けられており、ケース外方からこれらの操作を可能とするためには、ケースにも多数の押しボタンに対応する位置に多数の孔を設け、これらの孔に操作ボタンの軸部をそれぞれ挿入する必要があり、当該多数の孔からの水の浸入を防止する必要がある。
【０００５】
しかしながら、操作ボタンの軸部にＯリングを嵌め込むことにより孔からの浸水を防止する場合、組み付け時に多数のＯリングをそれぞれの軸部に挿入する必要があるため、特にケースに操作ボタンを多数設ける場合には組み立て効率を低下させる要因となっている。
【０００６】
また、特許文献１のように、弾性部材をＯリングの代替として用いるためには、多数の操作ボタンのそれぞれについて、操作ボタンと筺体との間でゴム部材を挟み込んだ状態でケースの内方側から操作ボタンの軸部にＥリングを装着するという作業が必要であるため、組み立て効率がＯリングを挿入する場合よりも悪い。
【０００７】
本発明の目的は、電子機器用ケースの組み立て効率を向上することにある。
【課題を解決するための手段】
【０００８】
上記課題を解決するため、本発明に係る電子機器用ケースは、Ｎ個（Ｎは２以上の自然数）の押しボタンを有する電子機器を内部に収容する筺体と、前記Ｎ個の押しボタンに対応する位置で前記筺体に形成されたＮ個の孔と、前記Ｎ個の孔を介してユーザが前記筺体の外方から前記Ｎ個の押しボタンを操作するための操作部と、を備える電子機器用ケースであって、前記操作部が、前記Ｎ個の孔のそれぞれに挿入される軸部を有するＮ個の操作ボタンと、前記Ｎ個の軸部のそれぞれに嵌め込まれるＮ個のリング部が一体的に形成され、かつ、前記リング部が前記軸部と前記筺体との間で挟み込まれることにより、前記Ｎ個の孔を密閉する密閉部材と、を有することを特徴とする。
【発明の効果】
【０００９】
本発明によれば、電子機器用ケースの組み立て効率を向上することができる。
【図面の簡単な説明】
【００１０】
【図１】（ａ）は本発明の第１の実施形態に係る電子機器用ケース１００の背面図であり、（ｂ）はＡ−Ａ線に沿った断面図である。
【図２】電子機器用ケース１００の操作部１３０の組付状態を示す分解斜視図である。
【図３】カバー部材の正面図及びＢ−Ｂ線に沿った断面図である。
【図４】押さえ部材の正面図及びＣ−Ｃ線に沿った断面図である。
【図５】密閉部材の正面図及びＤ−Ｄ線に沿った断面図である。
【図６】電子機器用ケース１００の操作部１３０の組付状態を示す分解断面図である。
【図７】（ａ）は図１（ｂ）の要部を拡大した図であり、（ｂ）は操作部１３０を押下した状態を示す図である。
【発明を実施するための形態】
【００１１】
＜第１の実施形態＞
図１（ａ）は本発明の第１の実施形態に係る電子機器用ケース１００の背面図であり、図１（ｂ）はＡ−Ａ線に沿った断面図である。図２は、電子機器用ケース１００の操作部１３０の組付状態を示す分解斜視図である。なお、図２で示す筺体１１０は、要部を切り出した部位のみを示している。
【００１２】
電子機器用ケース１００は、電子機器２００を密閉状態でケース内部に収容する。この電子機器用ケース１００は、防塵用又は防水用として用いられる。電子機器用ケース１００に収容される電子機器２００としては、本実施形態では、例えば、デジタルカメラを想定する。電子機器２００は、背面に設けられ、撮影した画像等を表示する液晶パネル２０１と、液晶パネル２０１に隣接して設けられ、ユーザが種々の入力操作を行うための９個の押しボタン２０２とを備える。
【００１３】
なお、電子機器２００には、９個の押しボタン２０２に加えて、他の部位に押しボタンが設けられていても構わないが、本実施形態では、液晶パネル２０１に隣接して、互いに近接する位置（つまり、まとまった位置）に配設された９個の押しボタンに着目した例について説明する。また、電子機器２００は、デジタルカメラに限定されるものではなく、デジタルビデオカメラや携帯電話等の他の電子機器であってもよい。
【００１４】
電子機器用ケース１００は、電子機器２００を内部に収容する筺体１１０と、９個の押しボタン２０２に対応する位置で筺体１１０に形成された９個の孔１２０と、９個の孔１２０を介して筺体１１０の外方からユーザが９個の押しボタン２０２を操作するための操作部１３０とを備える。
【００１５】
筺体１１０は、図１（ｂ）で示すように、例えば、正面ケース部材１１１と、正面ケース部材１１１に組み付けられる背面ケース部材１１２との２つのケース部材で構成され、その内部に電子機器１００の種々の機能部品を収容する。また、筺体１１０の正面ケース部材１１１には、例えば、レンズ鏡筒を収容するための鏡筒収容部１１１ａが形成される。
【００１６】
筺体１１０は、図２及び図６で示すように、その外面からケース外方に２段階に突出する円筒状の突出部１１３を有する。つまり、突出部１１３のうちの根本部分が大径部１１３ａ、先端部分が小径部１１３ｂを形成する。大径部１１３ａの深さが後述の密閉部材１３２の厚さと略同じであり、小径部１１３ｂの深さが後述の押さえ部材１３５の厚さと略同じである。
【００１７】
９個の孔１２０のケース外方側の開口には、図６で示すように、後述する９個のリング部１３２ａを収容するための収容部１２１が形成される。収容部１２１は、リング部１３２の厚さ（断面の直径）よりも小さい幅に形成されている。
【００１８】
操作部１３０は、図２で示すように、９個の操作ボタン１３１と、９個の孔１２０を密閉するための密閉部材１３２と、操作ボタン１３１にケース外方への付勢力を負荷する９個の弾性部材１３３と、筺体１１０にネジ１３４ｂで固定され、９個の操作ボタン１３１及び９個の弾性部材１３３を内部に収容するカバー部材１３４と、９個の弾性部材１３３と密閉部材１３２のシート１３２ｂとの間に設けられ、９個の弾性部材１３３からケース内方への付勢力を受けると共に、密閉部材１３２をケース外方から押さえる押さえ部材１３５とを備える。
【００１９】
９個の操作ボタン１３１は、図６で示すように、９個の孔１２０のそれぞれに挿入される軸部１３１ａと、９個の軸部１３１ａのケース外方側にそれぞれ設けられ、軸部１３１ａよりも断面積が大きいボタン部１３１ｂとを有する。軸部１３１ａの内方側端部には、電子機器２００の押しボタン２０２に傷を付けないように、又は衝撃吸収のために、ボタンキャップ１３６が嵌められている。ボタン部１３１ｂの内方側端部には、ボタン部１３１ｂよりも径方向外方に突出した庇部１３１ｃが形成されている。庇部１３１ｃは、ボタン部１３１ｂの内方側端部に近接するにつれて径方向外方に突出するように傾斜している。
【００２０】
弾性部材１３３は、操作ボタン１３１のボタン部１３１ｂの内方側端面と押さえ部材１３５との間にそれぞれ配設される。また、弾性部材１３３は、例えば、金属製のコイルスプリングである。しかし、これ以外にも、シリコンゴム等で形成された筒状のゴム部材等を用いることも可能である。
【００２１】
図３は、カバー部材１３４の正面図及びＢ−Ｂ線に沿った断面図である。カバー部材１３４は、庇部１３１ｃを除くボタン部１３１ｂが通過可能なサイズであり、庇部１３１ｃが通過不可能なサイズである操作孔１３４ａと、ネジ１３４ｂを通過させるためのネジ孔１３４ｂ’とを有する。カバー部材１３４は、９個の操作ボタン１３１が操作されていない状態で操作孔１３４ａからボタン部１３１ｂの一部がカバー部材１３４の外面から突出した状態となる（図５（ａ）参照）。カバー部材１３４は、例えば、ＡＢＳ樹脂で形成される。
【００２２】
操作孔１３４ａは、ケース内方側の開口に近接するにつれて広がるように傾斜した斜面部１３４ａ’を有する。一方、ボタン部１３１ｂの庇部１３１ｃは、上記の通り、操作孔１３４ａの斜面部１３４ａ’に対応して傾斜した斜面を形成している。操作ボタン１３１は、庇部１３１ｃが操作孔１３４ａの斜面部１３４ａ’に当接することにより、カバー部材１３４の外方への飛び出しが規制される。
【００２３】
これにより、庇部１３１ｃをカバー部材１３４の斜面部１３４ａ’に係止させるため、軸部１３１ａを筺体１１０の内方に挿入してＥリングで抜け留めを行う等の作業を省略できる。また、Ｅリング自体を用いないため、部品点数の削減につながる。更に、操作ボタン１３１が押下されていない状態で庇部１３１ｃと斜面部１３４ａ’が当接して操作孔１３４ａを閉鎖するため、砂等の異物が軸部１３１ａの摺動部に浸入することを防止することができる。
【００２４】
図４は、押さえ部材１３５の正面図及びＣ−Ｃ線に沿った断面図である。押さえ部材１３５は、軸部１３１ａを挿入するための軸挿入孔１３５ｃと、ケース外方から突出部１１３の小径部１１３ｂに嵌め込んで位置決めを行うための複数（本実施形態では、３つ）の位置決め孔１３５ａと、軸挿入孔１３５ｃの周縁で押さえ部材１３５の外面から突出し、弾性部材１３３としてのコイルスプリングの位置決めを行うための突出部１３５ｂと、突出部１３５ｂの根本周縁に形成され、コイルスプリングの位置決めを行うための溝部１３５ｄとを有する。押さえ部材１３５は、例えば、ＡＢＳ樹脂で形成される。
【００２５】
図５は、密閉部材１３２の正面図及びＤ−Ｄ線に沿った断面図である。密閉部材１３２には９個の軸部１３１ａのそれぞれに嵌め込まれ、かつ、軸部１３１ａと筺体１１０との間で挟み込まれる９個のリング部１３２ａが１つのシート１３２ｂに一体的に形成されている。密閉部材１３２は、例えば、ニトリルゴム等の合成ゴムにより形成される。
【００２６】
９個のリング部１３２ａは、シート１３２ｂからケース内方に向けて突出し、収容部１２１内で軸部１３１ａと筺体１１０との間で径方向に挟み込まれる。密閉部材１３２は、ケース外方から突出部１１３の大径部１１３ａに嵌め込んで位置決めを行うための複数（本実施形態では、３つ）の位置決め孔１３２ｃと、軸部１３１ａを挿入するための軸挿入孔１３２ｄとを有する。
【００２７】
図６は、電子機器用ケース１００の操作部１３０の組付状態を示す分解断面図である。操作部１３０を筺体１１０に組み付ける際には、まず、密閉部材１３２の位置決め孔１３２ｃを筺体１１０の大径部１１３ａに嵌め込むと共に、リング部１３２ａを筺体１１０の収容部１２１に挿入する。そして、押さえ部材１３５の位置決め孔１３５ａを筺体１１０の小径部１１３ｂに嵌め込む。次に、弾性部材１３３を押さえ部材１３５の突出部１３５ｂの周縁に配置し、弾性部材１３３、押さえ部材１３５、密着部材１３２及び筺体１１０に操作ボタン１３１の軸部１３１ａを挿入する。その状態で、操作ボタン１３１をケース外方側から覆うようにカバー部材１３４を筺体１１０にネジ１３４ｂで固定する。これにより、操作ボタン１３１のボタン部１３１ｂは、操作孔１３４ａを介してカバー部材１３４の外面から突出した状態となる。最後に、筺体１１０の内部に突出した軸部１３１ａにボタンキャップ１３６を嵌め込んで組み付け作業が終了する。
【００２８】
図７（ａ）は図１（ｂ）の要部を拡大した図であり、図７（ｂ）は操作部１３０を押下した状態を示す図である。ユーザが弾性部材１３３の弾性力に反して９個の操作ボタン１３１のいずれかのボタン部１３１ｂを押下すると、図７（ｂ）で示すように、操作ボタン１３１の軸部１３１ａがケース内方に挿入されていき、軸部１３１ａの先端に嵌められたボタンキャップ１３６により電子機器２００の押しボタン２０２が押下されることとなる。ユーザがボタン部１３１ｂから指を離すと、操作ボタン１３１は弾性部材１３３の弾性力により元の位置に復帰する。
【００２９】
以上述べた通り、本実施形態によれば、複数のＯリングを１つの部材で形成することにより、１つ１つの操作ボタン１３１の軸部１３１ａにＯリングを嵌め込む作業を省略できるため、電子機器用ケース１００の組み立て効率を向上することができる。
【００３０】
＜他の実施形態＞
なお、上記第１の実施形態では、電子機器用ケース１００が、電子機器２００の９個の押しボタン２０２に対応する位置に設けられた９個の操作ボタン１３１を備えるものとして説明したが、Ｎ個（Ｎは２以上の自然数）の操作ボタン１３１を備えているものであってもよい。Ｎ個の孔１２０からの浸水を防止するＯリングを一体的に形成することにより、上記同様の効果を得ることができるためである。
【図１】
2011238491.tif 000003
【図２】
2011238491.tif 000004
【図３】
2011238491.tif 000005
【図４】
2011238491.tif 000006
【図５】
2011238491.tif 000007
【図６】
2011238491.tif 000008
【図７】
2011238491.tif 000009